(57)【特許請求の範囲】
【請求項１】
少なくとも二つのパネルと、
メディカル用クレーンタワー筐体の縦方向に延びる少なくとも二つの柱と、
アッパープレートと、
ロワープレートとを備えており、
前記少なくとも二つのパネルは、それぞれ、前記少なくとも二つの柱に固定されており、
前記アッパープレート及び前記ロワープレートは、それぞれ、前記少なくとも二つのパネルのうちの各パネルの上縁部及び下縁部に固定されており、
前記少なくとも二つの柱のうちの少なくとも一つの柱には、電気インターフェースが設けられており、
前記電気インターフェースは、前記柱の前面に位置し且つ柱の縦方向に延びる１つのインナー溝と、前記インナー溝内に収納された絶縁体と、前記絶縁体内に設けられ、前記絶縁体によって囲まれた導体とを備え、
前記絶縁体が前記インナー溝内に収納され且つ前記導体が前記絶縁体内に設けられると、前記インナー溝の殆どが充填されることを特徴とするメディカル用クレーンタワー筐体。
【請求項２】
前記インナー溝における絶縁体の数は、二つであり、各々の絶縁体内には、導体が一つ設けられていることを特徴とする請求項１に記載のメディカル用クレーンタワー筐体。
【請求項３】
前記導体の横断面が略逆Ｙ字形又はΩ形であることを特徴とする請求項１に記載のメディカル用クレーンタワー筐体。
【請求項４】
前記絶縁体は、絶縁体前部と絶縁体後部とを備えており、
前記導体は、前記絶縁体後部内に設けられ、
前記絶縁体前部は、略平坦な前面と、メディカル用クレーンタワー筐体の縦方向に沿って延びる隙間とを備えることを特徴とする請求項１に記載のメディカル用クレーンタワー筐体。
【請求項５】
前記隙間の幅寸法及び前記絶縁体前部の弾性は、電気部品のプラグが前記隙間に挿入可能であり、且つ前記絶縁体前部がプラグ挿入前にほぼ閉じられるように設計されていることを特徴とする請求項４に記載のメディカル用クレーンタワー筐体。
【請求項６】
前記インナー溝の幅寸法及び前記絶縁体の弾性は、前記絶縁体が必要な予備変形を発生することで一定の予備圧力を発生し、これによって、電気部品のプラグが前記電気インターフェースに挿入されて前記導体と接続すると、前記予備圧力が前記プラグと前記導体との脱離を防止するように設計されていることを特徴とする請求項１に記載のメディカル用クレーンタワー筐体。
【請求項７】
前記導体は、継手を介してメディカル用クレーンタワーの制御メインボードに接続されていることを特徴とする請求項１に記載のメディカル用クレーンタワー筐体。
【請求項８】
前記少なくとも二つの柱のうちの少なくとも一つの柱には、機械インターフェースが設けられており、
前記機械インターフェースは、機械接続体の凸曲面部又は凹曲面部と係合するための凹曲面部又は凸曲面部を備えていることを特徴とする請求項１に記載のメディカル用クレーンタワー筐体。
【請求項９】
前記機械接続体は、メカニカル用部品を取り付けるために用いられることを特徴とする請求項８に記載のメディカル用クレーンタワー筐体。
【請求項１０】
柱は、メディカル用クレーンタワー筐体の縦方向に沿って延びており、
前記柱には、電気インターフェースが設けられており、
前記電気インターフェースは、前記柱の前面に位置し且つ柱の縦方向に延びる１つのインナー溝と、該インナー溝内に収納された絶縁体と、前記絶縁体内に設けられ、前記絶縁体によって囲まれた導体とを備え、
前記絶縁体が前記インナー溝内に収納され且つ前記導体が前記絶縁体内に設けられると、前記インナー溝の殆どが充填されることを特徴とするメディカル用クレーンタワー筐体に用いる柱。
【請求項１１】
前記インナー溝における絶縁体の数は、二つであり、各々の絶縁体内には、導体が一つ設けられていることを特徴とする請求項１０に記載のメディカル用クレーンタワー筐体に用いる柱。
【請求項１２】
前記導体の横断面が略逆Ｙ字形又はΩ形であることを特徴とする請求項１０に記載のメディカル用クレーンタワー筐体に用いる柱。
【請求項１３】
前記絶縁体は、絶縁体前部と絶縁体後部とを備えており、
前記導体は、前記絶縁体後部内に設けられ、
前記絶縁体前部は、略平坦な前面と、メディカル用クレーンタワー筐体の縦方向に沿って延びる隙間とを備えることを特徴とする請求項１０に記載のメディカル用クレーンタワー筐体に用いる柱。
【請求項１４】
前記隙間の幅寸法及び前記絶縁体前部の弾性は、電気部品のプラグが前記隙間に挿入可能であり、且つ前記絶縁体前部がプラグ挿入前にほぼ閉じられるように設計されていることを特徴とする請求項１３に記載のメディカル用クレーンタワー筐体に用いる柱。
【請求項１５】
前記インナー溝の幅寸法及び前記絶縁体の弾性は、前記絶縁体が必要な予備変形を発生することで一定の予備圧力を発生し、これによって、電気部品のプラグが前記電気インターフェースに挿入されて前記導体と接続すると、前記予備圧力が前記プラグと前記導体との脱離を防止するように設計されていることを特徴とする請求項１０に記載のメディカル用クレーンタワー筐体に用いる柱。
【請求項１６】
前記導体は、継手を介してメディカル用クレーンタワーの制御メインボードに接続されていることを特徴とする請求項１０に記載のメディカル用クレーンタワー筐体に用いる柱。
【請求項１７】
前記柱には、機械インターフェースが設けられており、
前記機械インターフェースは、機械接続体の凸曲面部又は凹曲面部と係合するための凹曲面部又は凸曲面部を備えていることを特徴とする請求項１０に記載のメディカル用クレーンタワー筐体に用いる柱。
【請求項１８】
前記機械接続体は、メカニカル用部品を取り付けるために用いられることを特徴とする請求項１７に記載のメディカル用クレーンタワー筐体に用いる柱。
【発明の詳細な説明】
【技術分野】
【０００１】
本願は、２０１４年４月３０日に提出した、出願番号が201410181261.8である中国特許出願の優先権を要求するものであり、ここに該中国特許出願の全内容を参考のため援用する。
【０００２】
本発明は、医療設備の技術分野に関わるものであり、特にメディカル用クレーンタワー筐体及び該メディカル用クレーンタワー筐体に用いる柱に関わるものである。
【背景技術】
【０００３】
メディカル用クレーンタワーは、病院での現代化の手術室、アイシーユー等に不可欠な医療設備であり、通常、異なる機能を実現するためのハンドル、ベニヤなどの各種類の部品が固定（装着）される必要がある。メディカル用クレーンタワーは、その主な構造が筐体である。このため、各種類のメカニカル用部品との機械的接続及び電気的接続を実現するために、メディカル用クレーンタワー筐体に各種類の機械インターフェース及び電気インターフェースを設置する必要がある。
【０００４】
従来のメディカル用クレーンタワー筐体は、以下の欠陥がある。
（１）メディカル用クレーンタワー筐体は、その構造及び／又は外観が異なり、そのインターフェース形態も異なるので、異なるインターフェースを入れ替えるには、変換用接続ブロックを追加して取り付ける必要がある。
（２）電気ケーブルの複雑な接続を行う必要があり、時間がかなりかかる。
（３）メディカル用部品の位置が固定されるので、高度及び／又は位置を自由に調整できない。
【発明の概要】
【発明が解決しようとする課題】
【０００５】
本発明は、従来のメディカル用クレーンタワー筐体の上記欠陥を解消するためになされたものであり、その目的は、標準化したインターフェースを有し、電気ケーブルの複雑な接続を行う必要がなく、着脱が容易であり、メディカル用部品の位置を自由に調整できるメディカル用クレーンタワー筐体を提供することである。
【課題を解決するための手段】
【０００６】
本発明の上記目的は、メディカル用クレーンタワー筐体により達成され、前記メディカル用クレーンタワー筐体は、少なくとも二つのパネルと、メディカル用クレーンタワー筐体の縦方向に延びる少なくとも二つの柱と、アッパープレートと、ロワープレートとを備えており、前記少なくとも二つのパネルは、それぞれ、前記少なくとも二つの柱に固定されており、前記アッパープレート及び前記ロワープレートは、それぞれ、前記少なくとも二つのパネルのうちの各パネルの上縁部及び下縁部に固定されており、前記少なくとも二つの柱のうちの各柱には、電気インターフェースが設けられており、前記電気インターフェースは、前記柱に位置し且つ柱の縦方向に延びるインナー溝と、前記インナー溝内に収容された絶縁体と、前記絶縁体内に封止された導体とを備える。
【０００７】
上記の技術案によれば、本発明に係るメディカル用クレーンタワー筐体は、標準化したインターフェースを有し、電気ケーブルの複雑な接続を行う必要がなく、着脱が容易になり、メディカル用部品の位置を自由に調整できるという有益な技術的効果を発揮できる。
【０００８】
好ましくは、前記絶縁体が前記インナー溝内に収納され且つ前記導体が前記絶縁体内に封止されると、前記インナー溝の殆どが充填される。
【０００９】
上記の技術案によれば、本発明に係るメディカル用クレーンタワー筐体は、電気インターフェースが良い信頼性及び絶縁性能を持つので、病院内のクリーン中に水や他の清浄剤が侵入するのを効果的に防止できるという有益な技術的効果を発揮できる。
【００１０】
好ましくは、前記インナー溝における絶縁体の数は、二つであり、各々の絶縁体内には、導体が一つ封止されている。
【００１１】
上記の技術案によれば、本発明に係るメディカル用クレーンタワー筐体は、以上の適切な絶縁体や導体の個数と設置により、電気部品のプラグと柱内の導体とを簡単で確実的に接続できるという有益的な技術的効果を発揮できる。
【００１２】
好ましくは、前記導体の横断面が略逆Ｙ字形又はΩ形である。
【００１３】
上記の技術案によれば、本発明に係るメディカル用クレーンタワー筐体は、以上の適切な導体の形状により、電気部品のプラグと柱内の導体とを簡単で確実的に接続できるという有益的な技術的効果を発揮できる。
【００１４】
好ましくは、前記絶縁体は、絶縁体前部と絶縁体後部とを備えており、前記導体は、前記絶縁体後部内に封止され、前記絶縁体前部は、略平坦な前面と、メディカル用クレーンタワー筐体の縦方向に沿って延びる隙間とを備える。
【００１５】
上記の技術案によれば、本発明に係るメディカル用クレーンタワー筐体は、電気部品のプラグが隙間に挿入可能であり、電気部品のプラグと柱内の導体とをより簡単で確実的に接続にするのに寄与するという有益的な技術的効果を発揮できる。
【００１６】
好ましくは、前記隙間の幅寸法及び前記絶縁体前部の弾性は、電気部品のプラグが前記隙間に挿入可能であり、且つ前記絶縁体前部がプラグ挿入前に基本的に封止されるように設計されている。
【００１７】
上記の技術案によれば、本発明に係るメディカル用クレーンタワー筐体は、電気部品のプラグと柱内の導体とをより簡単で確実的に接続できるとともに、病院内のクリーン中に水又は他の清浄剤が侵入するのを効果的に防止できるという有益的な技術的効果を発揮できる。
【００１８】
好ましくは、前記インナー溝の幅寸法及び前記絶縁体の弾性は、前記絶縁体が必要な予備変形により一定の予備圧力を発生し、これによって、電気部品のプラグが前記電気インターフェースに挿入されて前記導体と接続すると、前記予備圧力が前記プラグと前記導体との脱離を防止するように設計されている。
【００１９】
上記の技術案によれば、本発明に係るメディカル用クレーンタワー筐体は、電気部品のプラグと導体との接続の信頼性が向上し、プラグと導体との脱離は効果的に防止されるという有益的な技術的効果を発揮できる。
【００２０】
好ましくは、前記導体は、継手を介してメディカル用クレーンタワーの制御メインボードに接続されている。
【００２１】
上記の技術案によれば、本発明に係るメディカル用クレーンタワー筐体は、制御メインボードにて、例えばガスブレーキ制御、電磁ブレーキ制御、電機制御、直流電流の供給、ビデオ又はオーディオ信号の供給などの各種の機能を実現できるという有益的な技術的効果を発揮できる。
【００２２】
好ましくは、前記少なくとも二つの柱のうちの少なくとも一つの柱には、機械インターフェースが設けられており、前記機械インターフェースは、機械接続体の凸曲面部又は凹曲面部と係合するための凹曲面部又は凸曲面部を備えている。
【００２３】
上記の技術案によれば、本発明に係るメディカル用クレーンタワー筐体は、メディカル用クレーンタワー筐体における一つの柱により、電気的接続を実現できるし、機械接続も実現できるようになり、必要な部品の数量が減少し、接続信頼性が向上するようになり、また、メディカル用部品の着脱が容易であり、メディカル用部品の位置を自由で無段階的に調整できるという有益的な技術的効果を発揮できる。
【００２４】
好ましくは、前記機械接続体は、メカニカル用部品を取り付けるために用いられる。
【００２５】
上記の技術案によれば、本発明に係るメディカル用クレーンタワー筐体は、メディカル用部品の高度及び／又は位置を自由に調整でき、且つメディカル用部品をメディカル用クレーンタワー筐体に簡単で確実的に取り付けできるという有益的な技術的効果を発揮できる。
【００２６】
本発明の上記目的は、更にメディカル用クレーンタワー筐体に用いる柱により達成され、前記柱は、メディカル用クレーンタワー筐体の縦方向に沿って延びており、前記柱には、電気インターフェースが設けられており、前記電気インターフェースは、前記柱に位置し且つ柱の縦方向に延びるインナー溝と、該インナー溝内に収納された絶縁体と、前記絶縁体内に封止された導体とを備える。
【００２７】
上記の技術案によれば、本発明に係るメディカル用クレーンタワー筐体に用いる柱は、メディカル用クレーンタワー筐体に用いる柱に対する革新的設計により、メディカル用クレーンタワー筐体が標準化された電気インターフェースを備えることになり、電気ケーブルの複雑な接続を行う必要がなく、着脱が容易になり、メディカル用部品の位置を自由に調整できるという有益的な技術的効果を発揮できる。
【図面の簡単な説明】
【００２８】
【図１】図１は、本発明の一実施例に係るメディカル用クレーンタワー筐体の斜視図である。
【図２】図２は、本発明の一実施例に係るメディカル用クレーンタワー筐体の斜視図であり、明確にするために、アッパープレートを省略している。
【図３】図３は、図２に示すメディカル用クレーンタワー筐体の平面図である。
【図４】図４は、図３の下部の一部を示す一部拡大図であり、特にメディカル用クレーンタワー筐体における柱の電気インターフェースと機械インターフェースを示している。
【発明を実施するための形態】
【００２９】
以下、具体的な実施例及び図面に基づいて本発明を詳しく説明する。以下の記載では、本発明を十分に理解することが容易になるように、より多くの細部を説明するが、本発明は説明されたものと異なる別の形態でも実施できることは明らかであり、当業者にとって、本発明の主旨を脱出しない範囲で実際の応用状況により拡張・解釈することができるので、本発明の保護範囲が上記の具体的な実施例に限定されないことは言うまでもない。
【００３０】
図１及び図２は、それぞれ、本発明の一実施例に係るメディカル用クレーンタワー筐体１０の斜視図を示すものであり、図２に示すメディカル用クレーンタワー筐体１０は、わかり易くするためにアッパープレートを外したものである。図３は、図２に示すメディカル用クレーンタワー筐体１０の平面図を示すものである。図４は、図３の下部の一部を示す一部拡大図を示すものであり、特にメディカル用クレーンタワー筐体１０における柱２の電気インターフェースと機械インターフェースを示している。
【００３１】
本発明に係るメディカル用クレーンタワー筐体１０は、少なくとも二つのパネル１と、メディカル用クレーンタワー筐体の縦方向に延びる少なくとも二つの柱２と、アッパープレート３と、ロワープレート４とを備えており、少なくとも二つのパネル１は、それぞれ、少なくとも二つの柱２に固定されており、アッパープレート３及びロワープレート４は、それぞれ、少なくとも二つのパネル１のうちの各パネル１の上縁部及び下縁部に固定されている。
【００３２】
本発明における「上」、「下」、「前」、「後」、「左」、「右」等は、本発明をうまく説明するために定義された例示的な方向であることを注意すべきであり、図３に示すように、手前方向を「上」とし、奥方向を「下」とし、紙面下側方向を「前」とし、紙面上側方向を「後」とし、紙面左側方向を「左」とし、紙面右側方向を「右」とする。勿論、本発明に基づいて、当業者は、「上」、「下」、「前」、「後」、「左」、「右」等の方向を他の方式で定義しても本発明の保護範囲に入ることを理解するであろう。
【００３３】
図４に示すように、前記少なくとも二つの柱２のうちの少なくとも一つの柱２には電気インターフェースが設けられており、電気インターフェースは、柱２に位置し且つ柱の縦方向に延びるインナー溝２１と、該インナー溝２１内に収納された絶縁体２２と、絶縁体２２内に封止された導体２３とを備える。
【００３４】
このように、本発明に係るメディカル用クレーンタワー筐体は、標準化された電気インターフェースを備えるので、電気ケーブルの複雑な接続を行う必要がなくなり、着脱が容易になり、メディカル用部品の位置を自由に調整できる。
【００３５】
図４に示すように、前記少なくとも二つの柱２のうちの少なくとも一つの柱２には機械インターフェースが設けられており、機械インターフェースは、機械接続体３１の凸曲面部３５と係合するための凹曲面部２５を備えている。
【００３６】
このように、本発明に係るメディカル用クレーンタワー筐体は、標準化された電気インターフェースを備えるので、着脱が容易になり、メディカル用部品の位置を自由に調整できる。さらに、メディカル用クレーンタワー筐体における一つの柱により、電気的接続を実現できるし、機械的接続も実現できるようになり、必要な部品の数が減少し、接続信頼性も向上する。
【００３７】
上述の実施例には、柱の凹曲面部と機械接続体の凸曲面部とが係合する場合のみが示されたが、本発明に基づいて、当業者は、柱の凸曲面部と機械接続体の凹曲面部とが係合する形態を採用してもよいことを理解するであろう。このような変更も、本発明の保護範囲に入る。
【００３８】
好ましくは、図１及び図２に示すように、柱２は、メディカル用クレーンタワー筐体１０の縦方向に沿ってメディカル用クレーンタワー筐体１０の長さ全体を貫通して延びる。このようにすれば、機械接続体により、メカニカル用部品は、メディカル用クレーンタワー筐体の縦方向に沿って無段階的な位置調整を行うことが可能になる。
【００３９】
好ましくは、インナー溝２１は、柱２の長さ全体を貫通して延びる。好ましくは、図４に示すように、インナー溝２１は、柱２の前面に位置する。このようにすれば、柱の押出形成は容易になり、加工コストは効果的に低減される。好ましくは、柱２におけるインナー溝２１の数は、一つのみである。このようにすれば、簡単且つ確実的な電気的接続を実現できるとともに、柱の構造設計が簡素化になり、加工コストが低減する。
【００４０】
好ましくは、絶縁体２２は、柱の縦方向に沿って延びている。好ましくは、絶縁体２２も、柱２の長さ全体を貫通して延びる。
【００４１】
好ましくは、導体２３は、柱の縦方向に沿って延びている。好ましくは、導体２３も、柱２の長さ全体を貫通して延びる。
【００４２】
このようにすれば、本発明に係るメディカル用クレーンタワー筐体は、柱の長さ全体にわたって（又はメディカル用クレーンタワー筐体の長さ全体にわたって）メディカル用部品の位置を自由に調整でき、且つ電気的接続及び／又は機械的接続を簡単で迅速に実現できる。
【００４３】
好ましくは、図４に示すように、絶縁体２２がインナー溝２１内に収納され且つ導体２３が絶縁体２２内に封止されると、インナー溝２１の殆どが充填される。
【００４４】
このようにすれば、電気インターフェースは、良い信頼性及び絶縁性能を持つので、病院内のクリーン中に水や他の清浄剤が侵入するのを効果的に防止できる。
【００４５】
好ましくは、図４に示すように、インナー溝２１における絶縁体２２の数は、二つであり、各々の絶縁体２２内には、導体２３が一つ封止されている。好ましくは、絶縁体２２は、絶縁体前部２２１と絶縁体後部２２２とを備える。好ましくは、二つの絶縁体２２の絶縁体前部２２１は、一体に形成されており、これにより、病院内のクリーン中に水や他の清浄剤が侵入するのをより効果的に防止できる。
【００４６】
好ましくは、図４に示すように、導体２３の横断面は、略逆Ｙ字形である。当然ながら、本発明に基づいて、当業者は、導体２３の横断面が略Ω形であってもよいことを理解するであろう。
【００４７】
このように、以上の適切な絶縁体や導体の形状、個数の設置により、電気部品のプラグと柱内の導体とを簡単で確実的に接続できる。
【００４８】
好ましくは、図４に示すように、絶縁体２２が絶縁体前部２２１と絶縁体後部２２２とを備える場合、導体２３は、絶縁体後部２２２内に封止され、絶縁体前部２２１は、略平坦な前面と、メディカル用クレーンタワー筐体の縦方向に沿って延びる隙間２２３とを備える。
【００４９】
好ましくは、絶縁体２２（絶縁体前部２２１及び／又は絶縁体後部２２２）は、一定の弾性を持つべきである。例えば、絶縁体前部２２１は、一定の弾性を持つ。または、例えば、絶縁体後部２２２は、一定の弾性を持つ。または、例えば、絶縁体前部２２１と絶縁体後部２２２とは、何れも一定の弾性を持つ。
【００５０】
好ましくは、隙間２２３の幅寸法及び絶縁体前部２２２の弾性は、電気部品のプラグが隙間２２３に挿入可能であり、且つ絶縁体前部２２１がプラグ挿入前に基本的に封止されるように設計されている。
【００５１】
好ましくは、インナー溝２１の幅寸法及び絶縁体２２の弾性は、絶縁体２２（特に絶縁体後部２２２）が必要な予備変形により一定の予備圧力を発生し、これによって、電気部品のプラグが電気インターフェースに挿入されて導体２３と接続すると、予備圧力がプラグと導体２３との脱離を防止するように設計されている。
【００５２】
好ましくは、図４に示すように、導体２３は、継手２４を介してメディカル用クレーンタワーの制御メインボードに接続されている。
【００５３】
好ましくは、機械接続体３１は、例えば、制御ハンド、点滴棒、表示器アーム、医用レール等の各種類のメカニカル用部品を取り付けできるようになっている。
【００５４】
メカニカル用部品は、柱のインターフェースに取付けられてから、メカニカル用部品の高度を任意に調整できると共に、異なる柱の間で入れ替えできるようになる。
【００５５】
柱２内に設置された導体２３は、例えば、メディカル用クレーンタワーの制御に必要なガスブレーキ制御、電磁ブレーキ制御、電機制御を提供したり、例えば環境ランプを導体に直接取り付けできるように直流電流を供給したり、電源と制御信号とを同時に供給したり、例えば脈拍計のデータ等のビデオ又はオーディオ信号を提供したりするなど、いろんな機能を実現できる。
【００５６】
以上、図面に基づいて本発明を例示的に説明したが、本発明の具体的な形態は、上述の実施形態に限られない。当業者であれば、本発明の主旨を脱出しない前提で、本発明に対してあらゆる修正や変更を行うことができ、これらの修正や変更が本発明の保護範囲に入ることは言うまでもない。
【符号の説明】
【００５７】
１  パネル
２  柱
３  アッパープレート
４  ロワープレート
１０  メディカル用クレーンタワー筐体
２１  インナー溝
２２  絶縁体
２３  導体
２４  継手
２５  凹曲面部
３１  機械接続体
３５  凸曲面部
２２１  絶縁体前部
２２２  絶縁体後部
２２３  隙間
【図１】
0006379226.tif 000002
【図２】
0006379226.tif 000003
【図３】
0006379226.tif 000004
【図４】
0006379226.tif 000005